(57)【要約】【課題】深い水底に打設した杭３の頭部に、巨大な水中骨組構造の鉛直脚２を嵌合する場合に、作業員が直接目視できない不利な点を補い、概略の位置に沈下させた場合にも、水中骨組構造は自動的に求心して鉛直脚２の下端を杭３の頭部に嵌合させることができる方法と装置を提供する。【解決手段】鉛直脚２の下端には、鉛直脚２の内側へ向けて傾斜した底面を備え、かつ底面は鉛直脚２の投影面内に侵入しない形状に形成したガイド部材１を、取り外し自在に取り付ける。水中骨組構造を水底に下降する際に鉛直脚２の下端が杭３の頭部に当接した場合には、吊り下げ状態の水中骨組構造の鉛直脚２下端のガイド部材１の傾斜底面によって鉛直脚２の中心が杭３の中心方向に移動するように構成する。鉛直脚２を杭３の外周に設置した後、ガイド部材１を鉛直脚２下端から取り外す。して行う、水中骨組構造の設置方法を特徴としたものである。【選択図】        図１
2005232747.tif 000002
【特許請求の範囲】
【請求項１】
水底に打設した杭の外寸法よりも大きい内寸法の鉛直脚を備えた水中骨組構造を水底に設置する方法であって、
鉛直脚の下端には、
鉛直脚の内側へ向けて傾斜した底面を備え、
かつ底面は鉛直脚の内側の鉛直投影面内に侵入しない形状に形成したガイド部材を、取り外し自在に取り付け、
水中骨組構造を水底に下降する際に鉛直脚の下端が杭の頭部に当接した場合には、
吊り下げ状態の水中骨組構造の鉛直脚下端のガイド部材の傾斜底面によって鉛直脚の中心が杭の中心方向に移動するように構成し、
鉛直脚を杭の外周に設置した後、
ガイド部材を鉛直脚下端から取り外して行う、  
水中骨組構造の設置方法。
【請求項２】
水底に打設した杭の外寸法よりも大きい内寸法の鉛直脚を備えた水中骨組構造を水底に設置する方法であって、
鉛直脚の下端には、
鉛直脚の内側へ向けて傾斜した底面を備え、
かつ底面は鉛直脚の内側の鉛直投影面内に侵入しない形状に形成したガイド部材を、取り外し自在に取り付け、
水中骨組構造を水底に下降する際に鉛直脚の下端が杭の頭部に当接した場合には、
吊り下げ状態の水中骨組構造の鉛直脚下端のガイド部材の傾斜底面によって鉛直脚の中心が杭の中心方向に移動するように構成し、
鉛直脚を杭の外周に嵌合設置した後、
ガイド部材を鉛直脚下端から取り外し、
その後に杭の頭部と鉛直脚の下端付近に固化材を注入して行う、
水中骨組構造の設置方法。
【請求項３】
水中骨組構造の鉛直脚の下端に取り付ける部材であって、
鉛直脚の外周に取り付け、取り外し自在の取り付け帯と、
この取り付け帯の周囲に複数個とりつけたガイド部材とよりなり、
ガイド部材は、取り付け帯を介して鉛直脚に取り付けた場合に、鉛直脚の内側へ向けて傾斜した底面を備え、
かつ底面は鉛直脚の内側の鉛直投影面内に侵入しない位置に配置してある、
水中骨組構造の設置部材。
【発明の詳細な説明】
【技術分野】
【０００１】
本発明は、水中骨組構造の設置方法と設置部材に関するものである。
【背景技術】
【０００２】
水底に構造物を構築する場合に、陸上で水中構造物の骨組み、すなわち水中骨組構造を製造し、その水中骨組構造を設置位置まで水上運搬して、事前に打設した杭の頭部に嵌合するように沈設する工法が、橋脚の基礎や防波堤などの構築に広く利用されている。
図５はその一例であるが、水底に杭ａが打設してある。
一方、巨大な水中骨組構造ｂの鉛直脚ｃは、杭aの外径より大きい内径を持つ中空の柱体であり、この鉛直脚ｃを、杭aの外周に嵌合させて水底に設置する。
水底に水中骨組構造ｂを固定した後に、水中骨組構造ｂを主体として橋脚などの水中構造物を構築するものである。
【特許文献１】特開平７−２１６８４４
【発明の開示】
【発明が解決しようとする課題】
【０００３】
前記したような従来の水中骨組構造の設置方法にあっては、次のような問題点がある。
＜イ＞深い水底に打設した杭の頭部に、巨大な水中骨組構造の鉛直脚を嵌合する方法であるから、作業員が直接目視しながら位置の調整を行う地上での工法とはことなり、設置作業に経験と時間を要する。
＜ロ＞特に海上では波浪の影響があるから、クレーンで吊り上げている水中骨組構造は静止し難く、正確に杭の頭部に鉛直脚を嵌合させる作業は容易ではない。
＜ハ＞鉛直脚の下端にガイド部材を取り付ける構造も考えられるが、ガイド部材は単に嵌合させる瞬間に利用するためだけの仮の部材であるから、多数本の脚にガイド部材を取り付ける構造はきわめて不経済なものとなる。
【課題を解決するための手段】
【０００４】
上記のような従来の課題を解決するために、本発明の水中骨組構造の設置方法は、水底に打設した杭の外寸法よりも大きい内寸法の鉛直脚を備えた水中骨組構造を水底に設置する方法であって、鉛直脚の下端には、鉛直脚の内側へ向けて傾斜した底面を備え、かつ底面は鉛直脚の投影面内に侵入しない形状に形成したガイド部材を、取り外し自在に取り付け、水中骨組構造を水底に下降する際に鉛直脚の下端が杭の頭部に当接した場合には、吊り下げ状態の水中骨組構造の鉛直脚下端のガイド部材の傾斜底面によって鉛直脚の中心が杭の中心方向に移動するように構成し、鉛直脚を杭の外周に設置した後、ガイド部材を鉛直脚下端から取り外して行う、水中骨組構造の設置方法を特徴としたものである。
【０００５】
また本発明の水中骨組構造の設置方法は、水底に打設した杭の外寸法よりも大きい内寸法の鉛直脚を備えた水中骨組構造を水底に設置する方法であって、鉛直脚の下端には、鉛直脚の内側へ向けて傾斜した底面を備え、かつ底面は鉛直脚の投影面内に侵入しない形状に形成したガイド部材を、取り外し自在に取り付け、水中骨組構造を水底に下降する際に鉛直脚の下端が杭の頭部に当接した場合には、吊り下げ状態の水中骨組構造の鉛直脚下端のガイド部材の傾斜底面によって鉛直脚の中心が杭の中心方向に移動するように構成し、鉛直脚を杭の外周に設置した後、ガイド部材を鉛直脚下端から取り外し、その後に杭の頭部と鉛直脚の下端付近にモルタルなどを注入して行う、水中骨組構造の設置方法を特徴としたものである。
【０００６】
さらに本発明の設置部材は、水中骨組構造の鉛直脚の下端に取り付ける部材であって、鉛直脚の外周に取り付け、取り外し自在の取り付け帯と、この取り付け帯の周囲に複数個とりつけたガイド部材とよりなり、ガイド部材は、取り付け帯を介して鉛直脚に取り付けた場合に、鉛直脚の内側へ向けて傾斜した底面を備え、かつ底面は鉛直脚の投影面内に侵入しない位置に配置してある、水中骨組構造の設置部材を特徴としたものである。
【発明の効果】
【０００７】
本発明の水中骨組構造の設置方法と設置部材は以上説明したようになるから次のような効果を得ることができる。
＜イ＞深い水底に打設した杭の頭部に、巨大な水中骨組構造の鉛直脚を嵌合する場合に、作業員が直接目視できない不利な点を補い、概略の位置に沈下させた場合にも、水中骨組構造は自動的に求心して鉛直脚の下端を杭の頭部に嵌合させることができる。
＜ロ＞海上での作業のように波浪の影響がある場合で、クレーンで吊り上げている水中骨組構造の姿勢が不安定であっても、水中骨組構造の鉛直脚を効率よく杭の頭部に嵌合させることができる。
＜ハ＞鉛直脚を杭の頭部に嵌合させる瞬間に利用するためだけの仮の部材であるが、それを繰り返して転用することによって経済的に利用することができる。
【発明を実施するための最良の形態】
【０００８】
以下図面を参照しながら本発明の水中骨組構造の設置方法と設置部材の実施例について説明する。
【０００９】
＜１＞前提条件。
本発明は、図５の例と同様に、水中骨組構造の鉛直脚２を、水底に打設した杭３の頭部に嵌合するための設置方法と、その場合に使用する設置部材に関するものである。
【００１０】
＜２＞ガイド部材。
このガイド部材１は、水中骨組構造の鉛直脚２の下端に取り付ける部材である。
そしてこのガイド部材１は、取り付け帯１１と傾斜底面体１２とより構成する。
取り付け帯１１は、鉛直脚２の外周を包囲する帯状体である。
そして取り付け帯１１は、鉛直脚２の外形を複数に分割した分割片によって構成する。
図の実施例では円を二分割した半円状の部材を２個で構成してあるが、これは鉛直脚２が円筒である場合の構成であり、水中骨組構造の鉛直脚２が角筒の場合には「コ」字状となる。
さらに図の実施例では円を二分割した半円であるが、三分割、など複数に分割することもできる。
取り付け帯１１の端部には連結縁１４を形成し、ボルト孔１５を開口することによってボルトとナットによる締結、解除が可能となる。
【００１１】
＜３＞傾斜底面体
取り付け帯１１の周囲の外側には傾斜底面体１２を取り付ける。この傾斜底面体１１は、複数個とりつけたブロック体の部材である。
この傾斜底面体１２は、取り付け帯１１を介して鉛直脚２に取り付けた場合に、鉛直脚２の内側へ向けて傾斜した底面１３を備えている。
さらに、傾斜底面体１２は、取り付け帯１１を介して鉛直脚２の外周に取り付けた場合に、その一部でも鉛直脚２の内寸法（円柱なら内径）の投影面内に侵入しない位置に配置してある。
もし鉛直脚２の内径の鉛直投影面内に侵入する状態であると、その部分が杭３頭部に衝突して鉛直脚２を杭３に嵌合することができないからである。
ただし、鉛直脚２の内側には、シアキー２１を取り付け、このシアキー２１が鉛直脚２の内部空間に突出している場合がある。その場合、上記の「鉛直脚２の「内径」「内寸法」とは、シアキー２１とシアキー２１との内側の寸法を意味させることも可能である。
したがって鉛直脚２の「内径」とは実質的な内径を意味するものである。
傾斜底面体１２の取り付け帯１１側には段部１４を形成してある。
この段部１４の奥行きの寸法を、鉛直脚２の部材厚さ以下の寸法に形成して、段部１４で鉛直脚２の重量を受け得ように構成する。
【００１２】
＜４＞水中骨組構造の構成。
次に水中骨組構造の設置方法について説明する。
陸上、その他の設置場所とは別の場所で水中骨組構造を製造する。
この水中骨組構造は、図５に示した従来の構造と同様に、複数本の鉛直脚２の間を水平部材で連結した骨組み構造体である。
鉛直脚２は、事前に水底に打設した杭３の外寸法よりも大きい内寸法の内空断面を備えている。鉛直脚２の断面形状は、円でも矩形でも採用することができる。
【００１３】
＜５＞ガイド部材１の取り付け。
水中骨組構造を水底に下降させる前に、鉛直脚２の下端にガイド部材１を取り付ける。
このガイド部材１は前記したように、鉛直脚２の外形を分割した形状の複数の取り付け帯１１によって構成してあるから、ボルト、ナットによって結合することによって、鉛直脚２の外周に強固に取り付けることができる。
取り付け帯１１の外周には、傾斜底面体１２を取り付けてあり、この傾斜底面体１２は鉛直脚２の内側へ向けて傾斜した底面を備えている。
さらに傾斜底面体１２は、前記したように、鉛直脚２に取り付けた場合にその投影面内に侵入しない形状に形成してある。
【００１４】
＜６＞水中骨組構造の沈下。
水中骨組構造を製作場所から杭３の打設位置まで曳航し、図５に示す従来の方法と同様の方法によってクレーンによって水底に向けて沈下させる。
沈下位置に多少の誤差があったり、あるいは海上の波浪の影響で水中骨組構造の姿勢が不安定であって、水中骨組構造の鉛直脚２の下端が杭３の頭部に当ってしまう場合がある（図２）。
その場合にも吊り下げ状態の水中骨組構造は、鉛直脚２下端のガイド部材１の傾斜底面によって鉛直脚２の中心が杭３の中心方向に移動する。
したがって、自動的な求心作用によって簡単に杭３の頭部に嵌合させることができる（図３）。
【００１５】
＜７＞ガイド部材１の取り外し。
ガイド部材１は、水中骨組構造の鉛直脚２を杭３の頭部に嵌合させる瞬間に必要なだけの仮の部材であり、両者が嵌合した後には不用である。
そこで、水中の作業員によって取り付け帯１１のボルトを解体し、水上からワイヤー４で引き上げて回収する。
回収したガイド部材１は、転用して再度使用することができる。
【００１６】
＜８＞脚と杭３の固定。
鉛直脚２を杭３の外周に嵌合設置した後、場合によっては鉛直脚２と杭３とをモルタルなどの固化材で一体化する（図４）。
そのために、鉛直脚２の底部を杭３の頭部とを底袋５や底型枠を設置する。
そして水上からの注入パイプ５１を介して、杭３の頭部と鉛直脚２の下端付近にモルタル５２などを注入して固化させ、両者を固定する。
【００１７】
＜９＞他の実施例。
以上の構成は、ガイド部材１を鉛直脚２の下端に取り付けた構成を示している。
しかし中空の杭３を使用し、この中空の杭３の内部に鉛直脚２を挿入するような構成の場合には、ガイド部材１を杭３の頭部側に取り付けておけば同様の効果を期待することができる（図５）。
【図面の簡単な説明】
【００１８】
【図１】本発明の水中骨組構造の設置部材の実施例の説明図
【図２】水中骨組構造の設置状態の実施例の説明図
【図３】水中骨組構造の設置状態の実施例の説明図
【図４】水中骨組構造の設置状態の実施例の説明図
【図５】他の実施例の説明図
【図６】従来の水中骨組構造の設置状態の実施例の説明図
【符号の説明】
【００１９】
１：ガイド部材
２：鉛直脚
３：杭
４：ワイヤ
【図１】
2005232747.tif 000003
【図２】
2005232747.tif 000004
【図３】
2005232747.tif 000005
【図４】
2005232747.tif 000006
【図５】
2005232747.tif 000007
【図６】
2005232747.tif 000008